(57)【要約】【課題】本発明は樹脂成形にて永久磁石を固定する際に発生する応力を緩和させることにある。【解決手段】回転子と、固定子を有する永久磁石式同期電動機であって、回転子はその外周に複数の永久磁石を備え、永久磁石の軸方向に櫛状の磁石押え部を有することを特徴とする永久磁石式同期電動機にすることにより、樹脂や永久磁石のひび、割れ、空転防止等を防ぎ確実に固定し信頼性の高い永久磁石式同期電動機の回転子を得ることができる。【選択図】　図１
2004147395.tif 000002
【特許請求の範囲】
【請求項１】
回転子と、固定子を有する永久磁石式同期電動機であって、
前記回転子はその外周に複数の永久磁石を備え、前記永久磁石の軸方向に櫛状の磁石押え部を有することを特徴とする永久磁石式同期電動機。
【請求項２】
請求項１において、前記回転子は出力軸とプレス成型された鋼板を複数枚積層した固定子鉄心を一体としたものであり、前記回転子鉄心より長い板状の前記永久磁石を前記回転子外周に樹脂で固定したことを特徴とする永久磁石式同期電動機。
【請求項３】
請求項２において、前記回転子鉄心には空転防止穴を形成したことを特徴とする永久磁石式同期電動機。
【発明の詳細な説明】
【０００１】
【発明の属する技術分野】
本発明は、永久磁石式同期電動機に関する。
【０００２】
【従来の技術】
高効率、省エネ、小型化等の目的から、永久磁石を使用する永久磁石式同期電動機の需要は増加しており、信頼性が高く確実に永久磁石を回転子へ固定する方法が従来からの課題であった。
【０００３】
回転子は出力軸と回転子鉄心が焼嵌め等により一体型となっており、出力軸には玉軸受が装着されており、玉軸受はハウジングやエンドブラケットにより位置決め固定されて回転する。
【０００４】
回転子に複数の板状永久磁石を有する永久磁石式同期電動機において板状永久磁石を回転子鉄心外周に具備させる為に、従来は接着剤や、リング状の固定具によるはめ込み式による固定方法が一般的であった。
【０００５】
しかし、前記従来の両固定方法は強度や寸法の管理が非常に困難であり、長時間の高温高速回転及び、悪環境における使用により劣化し、板状永久磁石の剥離や脱落が発生する。これまでに多数の不良や、事故を起こしてきた。
又、樹脂成形による固定方法においては、高効率等の目的により板状永久磁石が大きくなり固定子鉄心の積層方向より長くなることがある。樹脂成形した場合樹脂、回転子鉄心、永久磁石のそれぞれに成形直後からの冷却又は、運転中の温度変化等により応力が発生し、永久磁石や成形された樹脂にひびや割れが発生する。
又、樹脂成形だけでは回転により永久磁石と回転子鉄心の間における空転に対して配慮されていなかった。さらに、電動機の特性として発熱がある、この発熱による温度上昇を低減することは電動機では重要であり困難である。
【０００６】
【発明が解決しようとする課題】
複数の板状永久磁石を複数使用する回転子からなる永久磁石式同期電動機において、板状永久磁石を信頼性が高く確実に回転子へ固定する方法が課題であり、それらを解決する為に樹脂成形がある。
【０００７】
前記従来技術は、樹脂成形した場合樹脂、回転子鉄心、永久磁石のそれぞれに成形直後からの冷却又は、運転中の温度変化により軸方向、径方向への熱収縮による応力が発生し、永久磁石や成形された樹脂にひびや割れが発生する。又、永久磁石を樹脂成形しただけでは回転により空転する可能性がある。さらに、電動機からの発熱による温度上昇を低減させることは重要であり困難であった。
本発明はこれらを解決することを目的とする。
【０００８】
【課題を解決するための手段】
本発明は、回転子と、固定子を有する永久磁石式同期電動機であって、前記回転子はその外周に複数の永久磁石を備え、前期永久磁石の軸方向に櫛状の磁石押え部を有することを特徴とする。
【０００９】
【発明の実施の形態】
本発明の第１の実施例は、回転子と、固定子を有する永久磁石式同期電動機であって、回転子はその外周に複数の永久磁石を備え、永久磁石の軸方向に櫛状の磁石押え部を有することを特徴とする永久磁石式同期電動機にある。
【００１０】
本発明の第２の実施例は、さらに回転子は出力軸とプレス成型された鋼板を複数枚積層した固定子鉄心を一体としたものであり、回転子鉄心より長い板状の永久磁石を回転子外周に樹脂で固定したことを特徴とする永久磁石式同期電動機にある。
【００１１】
本発明の第３の実施例は、さらに回転子鉄心には空転防止穴を形成したことを特徴とする永久磁石式同期電動機にある。
【００１２】
（実施例）
以下、本発明の実施例を図により説明する。
図１は出力軸１とプレス成形した珪素鋼板を複数枚積層した回転子鉄心２と、回転子鉄心２より長い板状永久磁石３を回転子外周へ複数枚等間隔に樹脂４にて成形した全体図である。図２は図１の断面図。図３は図１の正面図であり、図４は図３のＱ部拡大図である。
【００１３】
応力は軸方向と径方向の合成力になり、これらを回避させることが必要である。応力緩和構造とする為に永久磁石３の両端面３−ａには、櫛形状に複数の磁石押え部５を構成している。磁石押え部５と磁石押え部５の両端部６は独立しており、複数の磁石押え部５もそれぞれが独立している。又、永久磁石の両端に樹脂４は形成しない、従ってそれぞれが独立している磁石押え部５はバネ状の動きを有することになる。これにより軸方向と径方向に発生する応力を緩和させることが出来る。
【００１４】
樹脂成形時や永久磁石式同期電動機の温度変化等により発生する樹脂４の熱収縮力により樹脂４、永久磁石３に応力が発生するが、磁石押え部５がバネ状の動きを有することにより熱収縮力は回避されて応力の発生は緩和される、従って樹脂４、永久磁石３に発生するひびや割れを防ぐことが出来る。　　又、高温高速に耐える為には回転子鉄心２の外周に具備した永久磁石３を樹脂４で押える必要がある。樹脂４で永久磁石３の外周を全体的に押えると前記と同じく応力で樹脂４、永久磁石３にひびや割れが発生する為に、磁石押え部７は永久磁石３の外周の一部分のみに形成させる事とする。これにより、前述の磁石押え部５による効果に対し軸方向と径方向への応力緩和にさらに効果を出すことが出来る。
【００１５】
磁石押え部７を永久磁石３の外周の一部分のみに形成させる事により最小限の保持力を得ることが出来、かつ、樹脂４と永久磁石３にひびや割れが発生することを防ぐことが出来る。
【００１６】
さらに、プレス成形した珪素鋼板を積層した回転子鉄心２に貫通又は、貫通していない空転防止穴８を１個以上設けることにより、この空転防止穴８へ樹脂４が流れ込み空転防止構造を形成し空転を防止することが出来る。空転防止穴８はプレス成形時同時に設ける。
【００１７】
さらに、磁石押え部５の形状が放熱フィンと同様になり、樹脂４の表面積は増加した。従って放熱効果が良くなり、永久磁石式同期電動機の温度上昇を低減させることが出来る。
【００１８】
【発明の効果】
本発明によれば永久磁石端面にバネ状の動きを有する磁石押え部を樹脂形成することにより、又、外周には永久磁石を樹脂で押える部分を一部分とすることにより、樹脂成形や永久磁石式同期電動機運転中の温度変化等により発生する軸方向、径方向の応力を緩和させ高速運転に必要な保持力も得ることが出来る。かつ、固定子鉄心に穴を設け、樹脂を流し込むことにより、空転防止構造を形成し空転を防止することが出来る。さらに、バネ状の形状が放熱フィンと同様になり樹脂の表面積が増加したことにより永久磁石式同期電動機の温度上昇を低減できる。
永久磁石を確実に固定し信頼性が高く、割れや剥離等の問題を解決し、かつ、温度上昇を低減できる本発明による効果は非常に大きい。
【図面の簡単な説明】
【図１】本発明の実施例に係わる全体図である。
【図２】前記図１の断面図である。
【図３】前記図１の正面図である。
【図４】前記図３のＱ部拡大図である。
【符号の説明】
１…出力軸、２…回転子鉄心、３…永久磁石、３−ａ…永久磁石端面、４…樹脂、５…磁石押え部、６…磁石押え部５の両端部、７…磁石押え部、８…空転防止穴
【図１】
2004147395.tif 000003
【図２】
2004147395.tif 000004
【図３】
2004147395.tif 000005
【図４】
2004147395.tif 000006